【手続補正書】
【提出日】平成27年8月18日(2015.8.18)
【手続補正１】
【補正対象書類名】特許請求の範囲
【補正対象項目名】全文
【補正方法】変更
【補正の内容】
【特許請求の範囲】
【請求項１】
ローカルコンテンツコントローラにおいてトランスポートコマンドを処理するための方法であって、
１）受信したトランスポートコマンドが、前記ローカルコンテンツコントローラから生じたか、または、少なくとも１つのリモートコンテンツコントローラから生じたか判定するステップと、
２）ローカルに生じたトランスポートコマンドの場合、
ｉ）まだ実行されていないトランスポートコマンドと共に、前記ローカルに生じたトランスポートコマンドに優先順位を付けるステップと、
ｉｉ）前記ローカルに生じたトランスポートコマンドが優先する場合、前記ローカルに生じたトランスポートコマンドを、実行のために、前記リモートコンテンツコントローラに送信するステップと、
３）リモートに生じたトランスポートコマンドの場合、
ｉｉｉ）まだ実行されていないトランスポートコマンドと共に、前記リモートに生じたトランスポートコマンドに優先順位をつけるステップと、
４）コンテンツコントローラ間の待ち時間に従って、前記優先順位付けされたトランスポートコマンドを実行するステップと、
を含む、前記方法。
【請求項２】
前記コンテンツコントローラ間の待ち時間が、信号が１つのコントローラと別のコントローラとの間を伝播するための往復時間に従って、判定される、請求項１に記載の方法。
【請求項３】
まだ実行されていないトランスポートコマンドと共に、前記ローカルに生じたトランスポートコマンドに優先順位を付けるステップが、前記ローカルに生じたトランスポートコマンドが、まだ実行されていないトランスポートコマンドに関連して最初に発生したか否かを判定するステップを含む、請求項１に記載の方法。
【請求項４】
まだ実行されていないトランスポートコマンドと共に、前記リモートに生じたトランスポートコマンドに優先順位を付けるステップが、前記リモートに生じたトランスポートコマンドが、まだ実行されていないトランスポートコマンドに関連して最初に発生したか否かを判定するステップを含む、請求項１に記載の方法。
【請求項５】
前記まだ実行されていないコマンドが、ローカルに生じたトランスポートコマンドを含む、請求項１に記載の方法。
【請求項６】
前記まだ実行されていないコマンドが、リモートに生じたトランスポートコマンドを含む、請求項１に記載の方法。
【請求項７】
ホールドオフインターバルにより、リモートに生じたトランスポートコマンドの実行を遅延させるステップを含む、請求項１に記載の方法。
【請求項８】
前記ローカルに生じたトランスポートコマンドおよび前記リモートに生じたトランスポートコマンドがそれぞれ、優先度を判定するためのコマンドの発行時刻を示すそれぞれのタイムスタンプを含む、請求項１に記載の方法。
【請求項９】
ローカルコンテンツコントローラにおいて第１のトランスポートコマンドを処理して、共有コンテンツを制御するための方法であって、 
ａ）前記ローカルコンテンツコントローラにて受信した前記第１のトランスポートコマンドが、先に受信された第２のトランスポートコマンドに対して優先するか否かを判定するステップと、
ｂ）前記第１のトランスポートコマンドが優先する場合、前記第１のトランスポートコマンドをローカルコンテンツコントローラで実行して、前記第１のトランスポートコマンドに従って前記共有コンテンツを制御するステップ、しかし、
ｃ）前記第２のトランスポートコマンドが優先する場合、前記第１のトランスポートコマンドを前記ローカルコンテンツコントローラで実行しないステップと、
を含む、前記方法。
【請求項１０】
前記第１のトランスポートコマンドがローカルに生じたものであり、かつ、ステップｂ）が、前記第１のトランスポートコマンドを少なくとも１つのリモートコンテンツコントローラに転送するステップをさらに含む、請求項９に記載の方法。
【請求項１１】
前記第１のトランスポートコマンドの優先度が、複数のコンテンツコントローラのいずれがコマンドを生じたかに従って判定される、請求項９に記載の方法。
【請求項１２】
前記第１のトランスポートコマンドの優先度が、前記第１および第２のトランスポートコマンドがいつ発行されたのかに基づき判定される、請求項９に記載の方法。
【請求項１３】
前記第１および第２のトランスポートコマンドそれぞれが、コマンドの発行時刻を示すそれぞれのタイムスタンプを含む、請求項１２に記載の方法。
【請求項１４】
ｉ）前記第１のコマンドが前記第２のコマンドの前に発行された場合、前記第１のコマンドが優先度を持ち、
ｉｉ）前記第１のコマンドが、前記第２のコマンドの前に発行されず、前記第１および第２のコマンドの発行元が同じである場合、前記第１のコマンドが優先し、
ｉｉｉ）前記第１のコマンドが、少なくとも所定の時間量分だけ前記第２のコマンドより後に発行され、前記第１および第２のコマンドの発行元が異なる場合、前記第１のコマンドが優先し、
ｉｖ）前記第１のコマンドが、所定の値より小さい値分だけ前記第２のコマンドより後に発行され、前記第１および第２のコマンドの発行元が異なる場合、前記第１のコマンドは優先せず、
ｖ）前記第１のコマンドが、前記第２のコマンドと同時に発行された場合、前記第１および第２のトランスポートコマンドがいつ発行されたのかということ以外に基づき、前記第１のトランスポートコマンドが優先するか否かを判定する、
請求項９に記載の方法。
【請求項１５】
ｉ）前記第１のコマンドが、所定の値より小さい値分だけ前記第２のコマンドより前に発行された場合、前記第１のコマンドの実行が、前記第２のコマンドの先の実行を無効にし、
ｉｉ）そうでない場合、前記第１のコマンドの実行が、前記第２のコマンドの先の実行を無効にしない、請求項９に記載の方法。
【請求項１６】
ローカルの第１のコンテンツコントローラにおいてトランスポートコマンドを処理するための方法であって、
ａ）少なくとも１つのリモートコンテンツコントローラのそれぞれのオペレータを表すデータを提供するステップと、
ｂ）前記第１のコンテンツコントローラにて受信されたトランスポートコマンドが、ローカルに生じたのか否かを判定するステップと、
ｃ）前記トランスポートコマンドが前記第１のコンテンツコントローラにおいて生じた場合、前記トランスポートコマンドをそれぞれ他のコンテンツコントローラに送信するステップと、
ｄ）前記トランスポートコマンドが、前記少なくとも１つのリモートコンテンツコントローラのうちの第２のコンテンツコントローラにおいて生じた場合、前記トランスポートコマンドが実行されるとき、前記トランスポートコマンドの印を表示するステップであって、前記印が、前記第２のコンテンツコントローラに対応するデータを含む、ステップと、
を含む、前記方法。
【請求項１７】
前記データがオペレータの名前を含む、請求項１６に記載の方法。
【請求項１８】
前記データがオペレータの画像を含む、請求項１６に記載の方法。
【請求項１９】
ａ）複数のリモートコンテンツコントローラのそれぞれのオペレータを表すデータを取得するための手段と、
ｂ）ローカルコンテンツコントローラにおいて受信されたトランスポートコマンドが、ローカルに生じたか否かを判定するための手段と、
ｃ）前記トランスポートコマンドが前記ローカルコンテンツコントローラにおいて生じた場合、前記トランスポートコマンドをそれぞれ他のコンテンツコントローラに転送するための手段と、
ｄ）前記トランスポートコマンドが、前記複数のリモートコンテンツコントローラのうちの第２のコンテンツコントローラにおいて生じた場合、前記トランスポートコマンドが実行されるとき、前記トランスポートコマンドの印を表示するための手段であって、前記印が、前記第２のコンテンツコントローラに対応するデータを含む、手段と、
を備える、ローカルコンテンツコントローラ。